(57)【要約】  【課題】  輻射熱や高温のガス流に曝される場所に設置されたケーブル類を熱から保護するのに適した保護カバーを提供する。  【解決手段】  織物製のカバー本体はアラミド繊維及び／又はセラミックウール繊維を編成してなる矩形状をなし、表面にアルミ層が形成され、上記カバー本体の上下両縁および左右両縁には雌又は雄の係合手段が取付けられ、上記カバー本体がケーブル類に巻回されて両縁の雌雄の係合手段の相互に係合されることにより、上記ケーブル類が輻射熱又は熱気流から保護されるようになしたことを特徴とする。【選択図】  図２
2010273488.tif 000002
【特許請求の範囲】
【請求項１】
織物製のカバー本体はアラミド繊維及び／又はセラミックウール繊維を編成してなる矩形状をなし、表面にアルミ層が形成され、上記カバー本体の上下両縁および左右両縁には雌又は雄の係合手段が対向する縁に係合し得るように取付けられ、上記カバー本体がケーブル類に巻回されて両縁の雌雄の係合手段の相互に係合されることにより、上記ケーブル類が輻射熱又は熱気流から保護されるようになしたことを特徴とするケーブル類の保護カバー。
【請求項２】
上記カバー本体の内側には断熱材が設けられている請求項１記載のケーブル類の保護カバー。
【請求項３】
上記カバー本体の表面にはアルミ箔が転写されあるいはアルミニウム材料が蒸着されることによってアルミニウム層が形成されている請求項１記載のケーブル類の保護カバー。
【請求項４】
上記係合手段がホック又はスナップボタンである請求項１記載のケーブル類の保護カバー。
【請求項５】
上記カバー本体の４箇所のコーナーのうち、対角位置にある２箇所の表裏にはホック又はスナップボタンの脚とダボとが設けられており、上記カバー本体が上下左右に接続可能となした請求項１記載のケーブル類の保護カバー。
【請求項６】
上記対角位置にある２箇所は上記カバー本体が二重構造に構成され、各々に上記ホック又はスナップボタンの脚とダボとが設けられている請求項５記載のケーブル類の保護カバー。
【発明の詳細な説明】
【技術分野】
【０００１】
本発明はケーブル類の保護カバーに関し、特に輻射熱や高温のガス流に曝される場所に設置されたケーブル、電線類あるいはガス配管を熱から保護するのに適した保護カバーに関する。本発明では、ケーブル、電線類あるいはガス配管を「ケーブル類」と総称する。
【背景技術】
【０００２】
例えば、製鉄所、鋳物工場その他の素材製造現場では、工場内に敷設されるケーブルやガス配管は高温の材料からの強烈な輻射熱を受け、あるいは高温の材料から流れてくる高温の気流に曝される。通常、ケーブルの耐熱温度はたかだか６５°Ｃ〜８５°Ｃ程度であるから、ケーブルを保護する必要がある。
【０００３】
固定された装置への配線であればケーブルを保護チューブによって包んで保護する方法が採用される（特許文献１）。
【０００４】
近年、自動化の進展に伴い、図１７に示されるように、高温の物体１００の近傍にケーブル１２０を配線し、あるいは動く装置１１０に電力や信号を授受する必要が生じ、従来よりも熱的に対応が困難な場所にケーブル１２０を配線しなければならなくなってきた。しかし、そのような場所では柔軟性のない金属製の保護チューブは使えず、柔軟性を持たせるためにケープル１２０をむき出しで使わざるを得ない。
【０００５】
また、図１８に示されるように、ケーブル１２０を蛇腹状の可撓性のあるチューブ１３０に入れて保護するか、図１９に示されるように、単位チューブ１４０を前後につないで屈曲性を持たせた保護チューブに入れる方法がある（特許文献２）。しかし、前者では蛇腹状チューブ１３０がプラスチック製などであり、後者では単位チューブ１４０が金属製なとであったりして耐熱性を付与する必要があるので、さらに断熱材を外部から巻きつけて熱から保護しなければならない。その手間が非常に煩わしく、しかも可撓性も損なわれるので適用できる用途に制約が多い。このほかに、高温用の特殊なケーブルも提案されているが、高価なことおよび柔軟性がなく適用が難しい。
【０００６】
そこで、図２０に示されるように、ケーブル１２０の周りをセラミックウールなどの耐熱材で編んだ又は耐熱材で製造したバンドやテープ１５０を手作業で巻回する方法が提案されている（特許文献３）。この方法では永年の使用で、巻回したテープ１５０がほどけてしまったり、テープ１５０がちぎれてケーブル１２０がむき出しになることが多かった。テープ１５０は高温耐熱性を特徴としているので、燃焼処分が難しく、産業廃棄物扱いとなり、後始末が面倒である。
【０００７】
また、テープ１５０が一部剥がれただけでも全体を巻き直す必要が生じ、その補修の手間は近年の労働のコスト高に起因してコスト面でも負担が多大なものであった。また、連続操業しているところでは補修中の停止時間の制約もある。
【先行技術文献】
【特許文献】
【０００８】
【特許文献１】特開２００９−４４７８３号公報
【特許文献２】特開２００７−３１７４２７号公報
【特許文献３】特表２００４−５３００１５号公報
【発明の概要】
【発明が解決しようとする課題】
【０００９】
本発明はかかる問題点に鑑み、輻射熱や対流熱を効率よく遮断してケーブル類に伝わる熱を少なくでき、しかも可撓性を確保できるようにしたケーブル類の保護カバーを提供することを課題とする。
【課題を解決するための手段】
【００１０】
そこで、本発明に係るケーブル類の保護カバーは、織物製のカバー本体はアラミド繊維及び／又はセラミックウール繊維を編成してなる矩形状をなし、表面にはアルミ層が形成され、上記カバー本体の上下両縁および左右両縁には雌又は雄の係合手段が相互に対向する縁に係合し得るように取付けられ、上記カバー本体がケーブル類に巻回されて両縁の雌雄の係合手段の相互に係合されることにより、上記ケーブル類か輻射熱又は熱気流から保護されるようになしたことを特徴とする。
【００１１】
カバー本体の内側にはさらに断熱材を設けることもできる。また、カバー本体の表面にはアルミ箔を転写しあるいはアルミニウム材料を蒸着することによってアルミ層を形成することができる。
【００１２】
係合手段にはホックやスナップボタンを用いるのがよい。また、カバー本体の４箇所のコーナーのうち、対角位置にある２箇所の表裏にはホック又はスナップボタンの脚とダボとを設け、カバー本体を上下左右に接続可能となすのがよい。この場合、対角位置にある２箇所のカバー本体を二重構造に構成し、各々にホック又はスナップボタンの脚とダボとを設けるのがよい。
【図面の簡単な説明】
【００１３】
【図１】本発明に係るケーブル類の保護カバーの好ましい実施形態を示す表面(a)及び裏面(b)を示す図である。
【図２】上記実施形態における使用例を示す図である。
【図３】図２における保護カバーとケーブルの関係を示す断面図である。
【図４】上記実施形態における他の使用例を示す図てある。
【図５】上記実施形態において用いたホックの頭部(a)(b)とばね製の脚(c)(d)の構造を示す図である。
【図６】ホックの頭部と脚の取付け方法を示す図である。
【図７】上記実施形態において用いたホックのダボと止め具の構造及び取付け方法を示す図である。
【図８】上記実施形態におけるホックの脚とダボの嵌合状態を示す図である。
【図９】他の実施形態において用いたスナップボタンの構造を示す図である。
【図１０】上記実施形態において複数枚の保護カバーを直径方向に接続する方法を示す図である。
【図１１】複数枚の保護カバーを長手方向に接続する方法を示す図である。
【図１２】上記実施形態において複数枚の保護カバーを長手方向に接続する方法を示す図である。
【図１３】上記実施形態において複数枚の保護カバーを長手方向に接続する場合の構造例を示す図である。
【図１４】変形例を示す図である。
【図１５】他の変形例を示す図である。
【図１６】更に他の実施形態を示す図である。
【図１７】従来のケーブルの設置状況の例を示す図である。
【図１８】従来のケーブル保護チューブを示す図である。
【図１９】従来の他のケーブル保護チューブを示す図である。
【図２０】従来のケーブル保護テープを示す図である。
【発明を実施するための形態】
【００１４】
以下、本発明を図面に示す具体例に基づいて詳細に説明する。図１ないし図１６は本発明に係るケーブル類の保護カバーの好ましい実施形態を示す図である。図において、カバー本体１０はアラミド繊維（又はセラミックウール繊維、アラミド繊維とセラミックウール繊維の混紡繊維）を編成してなる矩形状の織物で製造され、アラミド繊維の表面にはアルミ箔を転写するか又はアルミニウ材料を蒸着することによってアルミ層が形成されている。
【００１５】
カバー本体１０の上下両縁及び左右両縁にはボタンの頭部２１と脚２２（雄の係合手段）又はボタンのダボ２３と止め具２４（雌の係合手段）が相互に対向する縁に係合し得るように取付けられている。
【００１６】
また、カバー本体１０の４箇所のコーナーのうち、対角位置にある２箇所の表裏にはホックの脚２２とダボ２３とが設けられており、カバー本体１０が上下左右に接続可能となっている。
【００１７】
ケーブル３０に伝わる輻射熱を効率よく遮断し、ケーブル３０に伝わる熱を少なくするためにはアルミ層を形成した断熱性のある織物によってケーブル３０を囲むことによって対応できる。既設のケーブル３０に対しては保護が後処理によってできるように、ボタン２１〜２４を設け、カバー本体１０を保護したい部分にだけ巻き付けるだけで対応でき、両端の結線やコネクターを取り外す必要がない。
【００１８】
また、配線済みのケーブル３０に更にケーブル３０を追加したり取り除いたりする場合にカバー本体１０をホック２１〜２４で簡単に取付け取外しができるので、保護処理を全てやり直す必要はなく、簡単に対応できる。カバー本体１０の４箇所のコーナーのうち、対角の位置にある２箇所のコーナーの表裏にホックの脚２２とダボ２４を設けるようにしたので、カバー本体を縦横に自由に接続でき、配線の長手方向や保護すべきケーブルの太さにも簡単に対応できる。
【００１９】
カバー本体１０を強度の高いアラミド繊維（又は耐熱性の高いセラミックウール繊維単体又はアラミド繊維との混紡）で構成しているので、機械的強度が高く、従来のテープを巻きつける方法に比較して機械的摩擦や引っ張り強度が高く、長寿命を確保でき、廃棄物の発生を少なくできる。
【００２０】
輻射熱は距離が離れていても遠くにまで伝播する。これは赤外線によるものだが、薄いアルミ箔でもほぼ９５％程度を遮断することができる。これはレジャーシートや消防服にも使用されている周知の技術である。赤外線の反射にはアルミ箔以外にクロムや金などによっても可能であるが、コストの負担が大きい。しかし、強烈な輻射熱に曝される場所では輻射熱と共に高温の熱気流も到達する。したがって、アルミ箔だけでは輻射熱は防げても接触伝熱によりアルミ箔の裏側には強い熱が伝わってくる。保護カバーの裏側には保護すべきケーブルがあるためここへは熱を伝えてはならない。したがって、アルミ箔を通して伝わってきた熱の伝達量を、断熱性の高い材料をケーブルとの問に挟んで小さくすることが望ましい。
【００２１】
一方、カバー本体１０には配線済みの様々な形状のケーブルに巻きつけるため柔軟性が求められる。更には、外力により破損しないように強度も必要である。このため種々の材料を試した結果、強度を保つためにアラミド繊維を主とし、耐熱性を高めるためにセラミックウール繊維を混紡した織物にアルミ箔を転写し、アルミニウム材料を蒸着した織物を使用した。
【００２２】
次に、現場施工では特別な工具や技術が不要な装置でかつ簡単でなければならないので、ホック２１〜２４（又はスナップボタン）を用い、ワンタッチで留めたり外したりできるようにした。これにより、ケーブル３０の追加や取替え時に簡単にカバー本体１０を外して所望の作業ができる。
【００２３】
従来のテープの巻回方法ではテープの取り外しはもちろん、テープの巻き直しにも時間がかかっていた。特に、長い距離になると、巻きつけ時にはテープの大きな巻回物を持ってケーブルの回りを回転させながら施工する必要があり、この作業ではケーブルにしっかりと巻きつけなければテープが緩んでくるので、作業にかなりの熟練を要する。
【００２４】
また、図１８の蛇腹状チューブや図１９の単位チューブによる保護チューブではケーブルの取替えや追加あるいは除去には根元からケーブルを引き抜かねばならず、多くの労力を要する。
【００２５】
これに対し、本例では図２や図３に示すようにホック２１〜２４によって施工済みのケーブル３０の上からカバー本体１０を巻さつけてホック２１〜２４で留めるだけでよいので、作業が非常に簡単である。
【００２６】
例えば、図３に示されるように、アルミ層が形成されたカバー本体１０の表面を通して組みつけられたホックの１組がカバーの端にある。ホックの頭部２１と脚２２はカバー本体１０を挿通して取付けられており、カバー本体１０の材料（アラミド繊維及び／又はセラミックウール繊維の織物地にアルミ層を形成したもの）にしっかりと留められている。カバー本体１０の対向する端部にはホックの頭部２１と脚２２に対応するダボ２３と止め具２４がやはりカバー本体１０の材料に取付けられている。カバー本体１０を装着したり外したりするときはこの１組のホックを嵌合し外すことによって行うことができ、これにより簡単にケーブル３０のまわりに施工できる。
【００２７】
配線するケーブル長さは場所により様々であるから長さ方向にも簡単に延長できなければならない。またこれもワンタッチで簡単にできなければならない。図４に示されるようにケーブル３０の長手方向への延長が簡単にできればよい。本例ではホックの向きを工夫した。
【００２８】
その前にホックの形状を説明する。ホックを構成するには４つの部品が必要となる。まず、図５に示されるように、頭部２１とばね製の脚２３である。頭部２１は上方が丸く、固定すべき布地に接する面が平坦になっている。図６に示されるように、頭部２１の平坦面には布地を貫通して反対側にある脚２２をしっかりと固定できるように小さなパイプが形成されている。このパイプの先端は布地を貫通した後、脚２２の中心の穴に嵌入されプレス機又はポンチで先端が押し広げられて脚２２が固定される。
【００２９】
もう一方の布地に固定するダボ２３と止め具２４は図７に示されるように、止め具２４には布地を貫通して固定する小さなパイプが形成されている。また、ダボ２３には中央にパイプが挿通する小さな穴が形成され、これも布地を介してつけられてやはりパイプの先端がプレス機またはポンチにより押し広げられて、止め具２４とダボ２３とが生地にしっかりと固定される。
【００３０】
脚２２とダボ２３とが嵌合されると、わずかに押し広げられた脚２２のばね力によって上の布と下の布がしっかりとつながる。図１０では頭２１や脚２２、ダボ２３と止め具２４をシンボルで表記しているが、後の図でも簡便のため同様のシンボルで示す。
【００３１】
また、ホックではなく、図９に示されるスナップボタンを用いることもでき、このスナップボタンは脚２２Ａとダボ２３Ａが布に縫い付けられることによって取付けられるが、締結の機構はホック２１〜２４と同様である。
【００３２】
さて、次の課題はカバー本体１０を長さ方向にも幅方向にも接続できるようにして拡張性を確保しなければならない点である。まず、図１０の(a)(b)に示されるような２枚の生地１０（Ｉ）と１０（ＩＩ）とを作る。この２枚の生地１０（Ｉ）と１０（ＩＩ）を図１０の(c) に示されるように重ねて接続する。この場合は生地１０（Ｉ）の上に生地１０（ＩＩ）を重ねている。生地１０（Ｉ）の表面にはホックの頭部２１が記号で書かれているが、この裏面はホックの脚２２である。生地１０（Ｉ）のホックのダボ２３の上に生地１０（ＩＩ）の脚２２を重ねるから結合できる。図８の(d)(e)(f) はこれらの接続した布でケーブル３０の廻りに巻いた状態を示している。
【００３３】
生地１０（Ｉ）の左上の裏側の脚２２は生地１０（ＩＩ）の表側にあるダボ２３と接続される。これは生地１０（Ｉ）と１０（ＩＩ）の両端及び中央のいずれ部位( 図１０の(d)(e)(f)) でも同じである。ここでは生地１０（Ｉ）と１０（ＩＩ）を接続した生地をケーブル３０の上に巻きつけた例を示したが、生地１０（Ｉ）又は１０（ＩＩ）単独、すなわち１枚でも同じことである。つまり、１枚であれば生地１０（Ｉ）の裏側の脚２２は同じ生地１０（Ｉ）の表側のダボ２３と結合される。
【００３４】
しかし、長手方向に２枚の生地１０（Ｉ）と１０（ＩＩ）を接続する場合はこれと異なってくる。前述のホックをつけた２枚の生地１０（Ｉ）と１０（ＩＩ）を長手方向に接続した場合を図１１に示す。図１１の(a)はホックをつけた生地１０（Ｉ）、１０（ＩＩ）を用意した状態を示し、同図(b) は生地１０（ＩＩ）の左端上に生地１０（Ｉ）の右端を重ねた状態を示す。ｐの部分では生地Ｉの裏側にある脚２２と生地１０（ＩＩ）の表側にある頭部２１とが対応することになってこれらを結合させることはできない。ｑの位置では接続は可能であるが、ｒの位置では生地１０（Ｉ）の止め具２４と生地１０（ＩＩ）のダボ２３とが対応することになってこれも結合させることはできない。
【００３５】
そこで、ｐの位置にある生地１０（ＩＩ）の表側をダボ２３にする。その裏側は脚２２である。また、ｒの位置にある生地１０（Ｉ）の右下の裏側を脚２２にする。このようにすれば、図１２に示すようにｐ，ｒおよび生地１０（Ｉ）と１０（ＩＩ）の他の部分も含めてすべて結合できる。
【００３６】
しかしながら、脚２２とダボ２３をつなぐような部品は特別に作らないと存在しないし取り付けも特別な治具を考えねばならない。そこで、図１３に示されるように、布地の左上の表側をダボ２３にしてその裏側に布１０Ａをもう１枚追加してそこに頭部２１と脚２２を取り付ける。また、右下の表側をダボ２３にし、その裏側にもう１枚布１０Ａを追加してそこに脚２２をつける。このようにすれば図１３の(c)に示されるように、ケーブル３０に巻きつけてｐの部分とｒの部分を接続することができる。この追加する布１０Ａは一部分で十分である。
【００３７】
このようにすれば長手方向にも幅方向にも接続できるようになるため同じ布地を用意すればどちらの方向にも接続できるため、拡張性が高まるだけでなく汎用性のある製品とすることができる。
【００３８】
図１４は追加の布１０をもともとの布地１０と同じサイズで作り、両者を縫い合わせる場合（図１４の(b)(c)）と追加の布地１０Ａを一部分だけ作り縫い合わせる場合（図１４の(d)(e)）を示す。このほかにも図１５に示されるように、もともとの布地１０の端部１０Ｂで折り曲げて追加の布地のかわりにすることもできる。
【００３９】
次に、断熱を強化する場合について述べる。図１６に示されるように、布地１０の裏側にセラミックウールやグラスウールのようなブランケット状あるいは編組状の断熱材１０Ｃを取り付ける。大きさは布地とほぼ同じであるが、ホックのうち脚２２の付いている部分は除く。これを丸くしてケーブル３０に巻きつけると、図１６の(c) に示される構造となる。布地１０の左端の部分Ｂ〜Ｃのところは断熱材がつけられていないので図１６の(b) に示される構造となる。
【００４０】
このようにすれば万が一、表の布地１０が損傷を受けたときにも断熱材１０Ｃが侵入する熱を防ぎ、内部のケーブル３０が損傷を受けるのを防止することができる。また、これ以外にケーブル３０のクッション材の代わりにもなり、まさにケーブルの保護カバーとして最適である。なお、断熱材１０Ｃと布地１０はステンレス製の糸で縫製されており、外部からの熱にも十分に耐えるようにしている。
【００４１】
〔具体例〕
布地には表にアルミニウムの蒸着した膜あるいは転写したアルミニウムをもつセラミックウール単体あるいはセラミックウールと熱に強いアラミド繊維の混紡したものを使用している（テイジン社製  商品名テクノーラ）。アラミド繊維以外でもテブロン製の布地やナイロン（登録商標）６６などの繊維と混紡したものでも良いが、耐熱性から言えばセラミックウールとアラミド繊維との組み合わせが最適である。混紡したものを用いているのはケーブルにこのカバーをまきつけたときにカバーに引っ張り力が働いてもカバーが破損しないためである。
【００４２】
断熱材にはやはりセラミックウール（商品名：イビウール又はイソライト、厚み６ミリ）を用いている。この耐熱性は１２００°Ｃ以上と高いので、ケーブルを保護するのには十分である。先述のように布地と断熱材との縫い合わせにはステンレス製の糸を使用している。
【００４３】
〔効果〕
１．施工済みの配線ケーブルにはすでに両端が端子やコネクターに接続されている場合が大半である。また、複数のケーブルが平行して配線されている場合は数メートルおきに束ねられている。このような状態でもこの上から一定の長さおきにこのカバーを巻きつけるだけで耐熱、断熱の保護カバーを施工できる。断熱テープを巻いていくような方法ではテープの束を持ちながらケーブルの回りをその束を回しながら巻きつけていくのであるが、ケーブルの長さ方向に連続して続けなければならないので、これがかなり厄介な作業である。しかし、本例のカバーを使えば部分的にまきつけるだけで済み長さを延長しようとすればもう１枚のカバーをホックで留めるだけの簡単な作業で接続できる。このため、従来は２〜３名でやっていた作業が１名でできるようになった。
【００４４】
２．配線済みのケーブルに更にケーブルを追加するようになったときにでも従来技術であれば、根元から断熱テープを解いていかねばならなかったが、このカバーを利用すれば少しずつカバーを取り外して、ケーブルを追加した後に再びカバーを単位長さごとに巻きつけていけばよいので、作業を大幅に短縮できる。ケーブルの数が多くなりカバーの内径が不足する場合もカバーを幅方向（直径方向）に接続することができるので、これも簡単である。また、途中でケーブル同士をコネクターで接続している場合は経路の途中が部分的に膨らむこととなるが、このような場合でもそこの部分だけ直径の方向にカバーをつないでいくだけで済む。
【００４５】
３．強烈な輻射熱に曝される場所でもアルミ層でほとんどの輻射熱を反射するから、カバーを通じて入ってくる熱は大幅に低減できる。また、入ってきたとしても布の生地がセラミックウールであるので、断熱性能はきわめて高い。更に、内部に断熱材を持たせていれば、ケーブルにまで達する熱は無視できる。実験によれば、１ｍ離れた場所にハロゲンヒーターをおいて輻射熱を与えた場合、カバーがなければ普通のケーブルは２０分ほどで耐熱限界の６０°Ｃを超えてしまったが、カバーがあれば５時間以上経ってもまったく温度上昇は見られなかった。また、直接炎が当たった場合では表面のアルミ層は酸化してしまうが布地のセラミックウールにより内部のケーブルの温度上昇は計測誤差範囲内であった。
【００４６】
４．ホックを取り付けた効果はほかにもある。図１７に示したような場所での使用はケーブルだけではなく、カバーにも屈曲性や柔軟性が求められる。もとよりホックには屈曲性はないが、ホックを密につけていないので、カバーを曲げてもホックとホックの間で撓んでくれ、ホックは外れない。ホックの間隔は種々のテストの結果、７５ミリ前後が適している。縦にも横にもその間隔で等しくホックをつけると、拡張性は高い。
【００４７】
５．これまでは輻射熱対策としてアルミ層の設けた方を表としてきたが、表と裏を逆にすることもできる。これでも輻射熱を防ぐ効果は低下するものの、接続には何ら問題はない。
６．カバーの一部に損傷が発生し破れが生じたときに長さの短いカバーを現存のカバーの上から巻きつけることにより保護はできる。
７．カバーの両端はカバーの外部から更に幅の短いカバーを巻きつけることにより閉じることができる。
【００４８】
〔変形例〕
１．これまでの説明では布のＡとＣの両面にダボと脚が存在したが、２枚のカバーを重ねて接続する場合にどちらの布地を上にするかで、ＢとＤに変わる。しかし、考え方は同じことである。
２．カバーの内側に取り付ける断熱材は内包するケーブルに巻きつけてから断熱材の付いていないカバーを巻いて留めてもよい。
【図１】
2010273488.tif 000003
【図２】
2010273488.tif 000004
【図３】
2010273488.tif 000005
【図４】
2010273488.tif 000006
【図５】
2010273488.tif 000007
【図６】
2010273488.tif 000008
【図７】
2010273488.tif 000009
【図８】
2010273488.tif 000010
【図９】
2010273488.tif 000011
【図１０】
2010273488.tif 000012
【図１１】
2010273488.tif 000013
【図１２】
2010273488.tif 000014
【図１３】
2010273488.tif 000015
【図１４】
2010273488.tif 000016
【図１５】
2010273488.tif 000017
【図１６】
2010273488.tif 000018
【図１７】
2010273488.tif 000019
【図１８】
2010273488.tif 000020
【図１９】
2010273488.tif 000021
【図２０】
2010273488.tif 000022